(57)【要約】【課題】市販のフックを用いることができ、かつ親綱にフックがかけられたか否かを検出することができるようにする。【解決手段】第１トリガー信号発信部２２１は、親綱２２０に設けられており、第１ＩＣタグ１０５のトリガー信号を発信する。フック１０４が親綱２２０に取り付けられると、フック１０４の第１ＩＣタグ１０５が第１応答信号を発信する。この第１応答信号は、第１応答信号受信部２１６を介して監督者端末２００に送信される。このため監督者端末２００は、第１応答信号を受信したときにはフック１０４が親綱２２０に取り付けられたと判断することができ、また第１応答信号を受信しないときにはフック１０４が親綱２２０に取り付けられていないと判断することができる。【選択図】図１
2011034374.tif 000002
【特許請求の範囲】
【請求項１】
親綱と、
命綱を介して作業者の安全ベルトが取り付けられるフックと、
前記フックに取り付けられた第１ＩＣタグと、
前記親綱に設けられ、前記第１ＩＣタグのトリガー信号を発信する第１トリガー信号発信手段と、
前記第１ＩＣタグの応答信号である第１応答信号を受信する第１応答信号受信手段と、
を備える安全管理システム。
【請求項２】
請求項１に記載の安全管理システムにおいて、
前記第１ＩＣタグは、前記第１ＩＣタグを相互に識別する第１ＩＣタグ識別情報を記憶しており、
前記第１応答信号には、前記第１ＩＣタグ識別情報が含まれており、
さらに、前記第１ＩＣタグ識別情報と、当該第１ＩＣタグ識別情報に対応する前記第１ＩＣタグが取り付けられた前記フックの前記作業者を特定する作業者特定情報とを互いに対応付けて記憶する作業者記憶手段と、
前記第１応答信号受信手段が前記第１応答信号を受信したときに、前記フックが前記親綱に取り付けられたことを示す取付確認情報を、受信した前記第１応答信号に含まれる前記第１ＩＣタグ識別情報に対応付けて前記作業者記憶手段に記憶させる更新手段と、
を備える安全管理システム。
【請求項３】
請求項２に記載の安全管理システムにおいて、
前記更新手段は、前記第１応答信号受信手段が予め定められた時間連続して前記第１応答信号を受信したときに、前記取付確認情報を前記作業者記憶手段に記憶させる安全管理システム。
【請求項４】
請求項１〜３のいずれか一つに記載の安全管理システムにおいて、
作業開始を示す作業開始時刻から予め定められた時間以内に前記第１応答信号受信手段が前記第１応答信号を受信しないときに、警告処理を行う第１警告処理手段をさらに備える安全管理システム。
【請求項５】
請求項４に記載の安全管理システムにおいて、
作業監督者が操作する監督者端末をさらに備え、
前記作業開始時刻は、前記監督者端末から入力される安全管理システム。
【請求項６】
請求項４に記載の安全管理システムにおいて、
作業区域の入り口に設置されるＩＣタグ読取手段をさらに備え、
前記作業開始時刻は、前記ＩＣタグ読取手段が前記第１ＩＣタグから応答信号を受信した時刻である安全管理システム。
【請求項７】
請求項１〜６のいずれか一つに記載の安全管理システムにおいて、
前記第１応答信号受信手段が前記第１応答信号を受信した後、予め定められた時間連続して前記第１応答信号を受信しなかったときに、警告処理を行う第２警告処理手段をさらに備える安全管理システム。
【請求項８】
請求項１〜７のいずれか一つに記載の安全管理システムにおいて、
前記作業者が携帯する第２ＩＣタグと、
危険区域に配置され、前記第２ＩＣタグのトリガー信号を発信する第２トリガー信号発信手段と、
前記第２ＩＣタグの応答信号である第２応答信号を受信する第２応答信号受信手段と、
前記第２応答信号受信手段が前記第２応答信号を受信したときに、警告処理を行う第３警告処理手段と、
をさらに備える安全管理システム。
【請求項９】
請求項８に記載の安全管理システムにおいて、
前記第３警告処理手段は、前記第１応答信号受信手段が前記第１応答信号を受信している間は、前記第２応答信号を受信しても警告処理を行わない安全管理システム。
【請求項１０】
請求項１〜９のいずれか一つに記載の安全管理システムにおいて、
前記第１ＩＣタグは、前記フックのうち前記命綱の取り付け位置とは反対側に取り付けられている安全管理システム。
【請求項１１】
命綱を介して安全ベルトが取り付けられているフックが親綱に取り付けられたことを検出することにより安全管理を行う安全管理装置であって、
前記フックにはＩＣタグが取り付けられており、かつ前記ＩＣタグには、前記ＩＣタグを相互に識別するＩＣタグ識別情報が割り振られており、
前記ＩＣタグ識別情報と、当該ＩＣタグ識別情報に対応するＩＣタグが取り付けられた前記フックの作業者とを互いに対応付けて記憶する作業者記憶手段と、
前記ＩＣタグが応答信号を発信したことを検出したときに、前記フックが前記親綱に取り付けられたことを示す取付確認情報を、受信した前記応答信号に含まれる前記ＩＣタグ識別情報に対応付けて前記作業者記憶手段に記憶させる更新手段と、
を備える安全管理装置。
【請求項１２】
命綱を介して安全ベルトに取り付けられるフックにＩＣタグを取り付け、
親綱に、前記ＩＣタグのトリガー信号を発信するトリガー信号発信手段を設け、
応答信号受信手段が、前記ＩＣタグの応答信号を受信したときに、前記フックが前記親綱に取り付けられたと判断する安全管理方法。
【請求項１３】
コンピュータを、命綱を介して安全ベルトが取り付けられているフックが親綱に取り付けられたことを検出することにより安全管理を行う安全管理装置として機能させるためのプログラムであって、
前記フックにはＩＣタグが取り付けられており、かつ前記ＩＣタグには、前記ＩＣタグを相互に識別するＩＣタグ識別情報が割り振られており、
前記コンピュータに、
前記ＩＣタグ識別情報と、当該ＩＣタグ識別情報に対応するＩＣタグが取り付けられた前記フックの作業者とを互いに対応付けて記憶する機能と、
前記ＩＣタグが応答信号を発信したことを検出したときに、前記フックが前記親綱に取り付けられたことを示す取付確認情報を、受信した前記応答信号に含まれる前記ＩＣタグ識別情報に対応付けて記憶させる機能と、
を実現させるプログラム。
【発明の詳細な説明】
【技術分野】
【０００１】
本発明は、危険区域における作業者の安全性を管理する安全管理システム、安全管理装置、安全管理方法、及びプログラムに関する。
【背景技術】
【０００２】
工事現場、建物の補修現場、工場内では、高所で作業を行う機会が多い。高所で作業を行う場合、作業者は、命綱を有する安全ベルトを体に取り付け、命綱の先端のフックを親綱などに取り付ける必要がある。
【０００３】
例えば特許文献１には、磁性体つきの親綱と、フックがコイルを有する命綱及び安全ベルトとが開示されている。この公報には、フックを親綱にかけると、フックのコイルに起電力が生じるため、この起電力の有無により、親綱にフックがかけられたか否かを検出することができる、と記載されている。
【０００４】
また特許文献２には、安全ベルトにＲＦＩＤを取り付けることにより、安全ベルトを使用する必要がある位置においては、一定の条件化で警報を発するようにすることが記載されている。
【先行技術文献】
【特許文献】
【０００５】
【特許文献１】特開平１１−２６７２３７号公報
【特許文献２】特開２００６−３１３４２５号公報
【発明の概要】
【発明が解決しようとする課題】
【０００６】
特許文献１に記載の技術では、市販のフックを用いることができない。このため、システムが高価になってしまう。
【０００７】
本発明の目的は、市販のフックを用いることができ、かつ親綱にフックがかけられたか否かを検出することができる安全管理システム、安全管理装置、安全管理方法、及びプログラムを提供することにある。
【課題を解決するための手段】
【０００８】
本発明によれば、親綱と、
命綱を介して安全ベルトが取り付けられるフックと、
前記フックに取り付けられた第１ＩＣタグと、
前記親綱に設けられ、前記第１ＩＣタグのトリガー信号を発信する第１トリガー信号発信手段と、
前記第１ＩＣタグの応答信号である第１応答信号を受信する第１応答信号受信手段と、
を備える安全管理システムが提供される。
【０００９】
本発明によれば、命綱を介して安全ベルトが取り付けられているフックが親綱に取り付けられたことを検出することにより安全管理を行う安全管理装置であって、
前記フックにはＩＣタグが取り付けられており、かつ前記ＩＣタグには、前記ＩＣタグを相互に識別するＩＣタグ識別情報が割り振られており、
前記ＩＣタグ識別情報と、当該ＩＣタグ識別情報に対応するＩＣタグが取り付けられた前記フックの作業者とを互いに対応付けて記憶する作業者記憶手段と、
前記ＩＣタグが応答信号を発信したことを検出したときに、前記フックが前記親綱に取り付けられたことを示す取付確認情報を、受信した前記応答信号に含まれる前記ＩＣタグ識別情報に対応付けて前記作業者記憶手段に記憶させる更新手段と、
を備える安全管理装置が提供される。
【００１０】
本発明によれば、命綱を介して安全ベルトに取り付けられるフックにＩＣタグを取り付け、
親綱に、前記ＩＣタグのトリガー信号を発信するトリガー信号発信手段を設け、
応答信号受信手段が、前記ＩＣタグの応答信号を受信したときに、前記フックが前記親綱に取り付けられたと判断する安全管理方法が提供される。
【００１１】
本発明によれば、コンピュータを、命綱を介して安全ベルトが取り付けられているフックが親綱に取り付けられたことを検出することにより安全管理を行う安全管理装置として機能させるためのプログラムであって、
前記フックにはＩＣタグが取り付けられており、かつ前記ＩＣタグには、前記ＩＣタグを相互に識別するＩＣタグ識別情報が割り振られており、
前記コンピュータに、
前記ＩＣタグ識別情報と、当該ＩＣタグ識別情報に対応するＩＣタグが取り付けられた前記フックの作業者とを互いに対応付けて記憶する機能と、
前記ＩＣタグが応答信号を発信したことを検出したときに、前記フックが前記親綱に取り付けられたことを示す取付確認情報を、受信した前記応答信号に含まれる前記ＩＣタグ識別情報に対応付けて記憶させる機能と、
を実現させるプログラムが提供される。
【発明の効果】
【００１２】
本発明によれば、市販のフックを用いることができ、かつ親綱にフックがかけられたか否かを検出することができる。
【図面の簡単な説明】
【００１３】
【図１】第１の実施形態に係る安全管理システムの構成及び使用環境を示す図である。
【図２】フックが親綱に取り付けられた状態を示す図である。
【図３】作業者が危険区域の第２トリガー信号発信部の上に来た状態を示す図である。
【図４】監督者端末の機能構成を示すブロック図である。
【図５】作業者記憶部が記憶しているデータをテーブル形式で示す図である。
【図６】図１に示した安全管理システムの動作を示すフローチャートである。
【図７】第２の実施形態に係る監督者端末の構成を示すブロック図である。
【図８】本実施形態に係る安全管理システムの動作を示すフローチャートである。
【発明を実施するための形態】
【００１４】
以下、本発明の実施の形態について、図面を用いて説明する。尚、すべての図面において、同様な構成要素には同様の符号を付し、適宜説明を省略する。
【００１５】
（第１の実施形態）
図１は、第１の実施形態に係る安全管理システムの構成及び使用環境を示す図である。この安全管理システムは、親綱２２０、フック１０４、第１ＩＣタグ１０５、第１トリガー信号発信部２２１、及び第１応答信号受信部２１６を備える。親綱２２０は、作業区域３００に設置される。フック１０４は、命綱１０２を介して安全ベルト１００に取り付けられる。第１ＩＣタグ１０５はフック１０４に取り付けられている。第１トリガー信号発信部２２１は、親綱２２０に設けられており、第１ＩＣタグ１０５のトリガー信号を発信する。第１トリガー信号発信部２２１は、例えばアンテナ線である。第１応答信号受信部２１６は、第１ＩＣタグ１０５の応答信号である第１応答信号を受信する。なお第１トリガー信号発信部２２１には、トリガー信号入力装置２２２からトリガー信号が入力される。
【００１６】
第１応答信号受信部２１６は、第１応答信号を監督者端末２００に送信する。監督者端末２００は、作業開始を示す作業開始時刻から予め定められた時間以内に第１応答信号受信部２１６から第１応答信号を受信しないときに、警告処理を行う。なお監督者端末２００は、作業の監督を行う監督者が操作する携帯可能な端末である。監督者端末２００はノート型パソコンであっても良いし、ＰＤＡ（Personal Digital Assistant）であってもよい。
【００１７】
この安全管理システムにおいて、フック１０４が親綱２２０に取り付けられると、フック１０４の第１ＩＣタグ１０５が第１応答信号を発信する。この第１応答信号は、第１応答信号受信部２１６を介して監督者端末２００に送信される。このため監督者端末２００は、第１応答信号を受信したときにはフック１０４が親綱２２０に取り付けられたと判断することができ、また第１応答信号を受信しないときにはフック１０４が親綱２２０に取り付けられていないと判断することができる。
【００１８】
安全管理システムは、さらに第２ＩＣタグ１０１、第２トリガー信号発信部２３０、及び第２応答信号受信部２１８を備えている。第２ＩＣタグ１０１は作業者が携帯する。本実施形態において第２ＩＣタグ１０１は安全ベルト１００に取り付けられている。第２トリガー信号発信部２３０は作業区域３００のうち危険区域に配置され、第２ＩＣタグ１０１のトリガー信号を発信する。本実施形態において第２トリガー信号発信部２３０はマット状の部材であり、危険区域の全域を覆っている。第２トリガー信号発信部２３０には、トリガー信号入力装置２３２からトリガー信号が入力される。第２応答信号受信部２１８は、第２ＩＣタグ１０１の応答信号である第２応答信号を受信し、受信した第２応答信号を監督者端末２００に送信する。監督者端末２００は、第２応答信号受信部２１８から第２応答信号を受信したときに、警告処理を行う。
【００１９】
すなわちこの安全管理システムにおいて、作業者が危険区域に入ると、安全ベルト１００の第２ＩＣタグ１０１は第２応答信号を発信する。この第２応答信号は、第２応答信号受信部２１８を介して監督者端末２００に送信される。このため監督者端末２００は、第２応答信号を受信したときには作業者が危険区域に入ったと判断することができる。
【００２０】
本実施形態において、第１ＩＣタグ１０５は、第１ＩＣタグ１０５を相互に識別する第１ＩＣタグ識別情報を記憶しており、第２ＩＣタグ１０１は、第２ＩＣタグ１０１を相互に識別する第２ＩＣタグ識別情報を記憶している。そして第１ＩＣタグ１０５が発信する第１応答信号には第１ＩＣタグ識別情報が含まれており、第２ＩＣタグ１０１が発信する第２応答信号には第２ＩＣタグ識別情報が含まれている。このため監督者端末２００は、第１応答信号に含まれる第１ＩＣタグ識別情報によって、どの作業者のフック１０４が親綱２２０に取り付けられたかを判断することができる。また監督者端末２００は、第２応答信号に含まれる第２ＩＣタグ識別情報によって、どの作業者が危険区域に入ったかを判断することができる。
【００２１】
第１ＩＣタグ識別情報及び第２ＩＣタグ識別情報と作業者の紐付けは、ＩＣタグ読取部２１２及び監督者端末２００によって行われる。ＩＣタグ読取部２１２は、作業者の点呼を行っているときに、フック１０４に取り付けられた第１ＩＣタグ１０５から第１応答信号を受信する。そして監督者端末２００は、ＩＣタグ読取部２１２が受信した第１応答信号に基づいて、第１ＩＣタグ識別情報及び第２ＩＣタグ識別情報と作業者の紐付けを行う。この紐付けの詳細は、フローチャートを用いて後述する。
【００２２】
また作業区域３００の入口となる領域には、ＩＣタグ読取部２１４が設置されている。ＩＣタグ読取部２１４は、作業者が作業区域３００へ入るとき、及び作業者が作業区域３００から出るときそれぞれにおいて、第１ＩＣタグ１０５から第１応答信号を受信する。そしてＩＣタグ読取部２１４は、読み取った第１応答信号を監督者端末２００に送信する。これにより監督者端末２００は、どの作業者が何時から何時まで作業区域に入っていたかを管理することができる。
【００２３】
なおフック１０４は市販されているものでよい。そして第１ＩＣタグ１０５及び第２ＩＣタグ１０１は、例えばＲＦＩＤ（Radio Frequency Identification）である。ＲＦＩＤなどのＩＣタグは小さいため、市販されているフック１０４を改良することなく、第１ＩＣタグ１０５をフック１０４に取り付けることができる。
【００２４】
図２は、フック１０４が親綱２２０に取り付けられた状態を示す図である。本実施形態において親綱２２０には、第１トリガー信号発信部２２１としてのアンテナ線が少なくとも一本、望ましくは３本以上巻きつけられている。図１に示したトリガー信号入力装置２２２は、これらのアンテナ線に第１トリガー信号を入力する。
【００２５】
また第１ＩＣタグ１０５は、フック１０４のうち命綱１０２の取り付け位置とは反対側に取り付けられている。一般的にフック１０４は、命綱１０２の取り付け位置とは反対側が親綱２２０と接していることがほとんどである。このため第１ＩＣタグ１０５が第１トリガー信号発信部２２１としてのアンテナ線から離れることが抑制される。従って、フック１０４が親綱２２０に取り付けられている間は、第１ＩＣタグ１０５は第１応答信号を発信し続けることができる。
【００２６】
図３は、作業者が危険区域の第２トリガー信号発信部２３０の上に来た状態を示す図である。ただし作業者については図示を省略している。上記したように第２トリガー信号発信部２３０はシート状であり、内部にアンテナ線２３４が張り巡らされている。図１に示したトリガー信号入力装置２３２は、アンテナ線２３４にトリガー信号を入力する。
【００２７】
そして作業者がシート状の第２トリガー信号発信部２３０の上に来た場合、安全ベルト１００の第２ＩＣタグ１０１も第２トリガー信号発信部２３０の上にくる。このため、第２ＩＣタグ１０１は、作業者が第２トリガー信号発信部２３０の上にいる間はアンテナ線２３４が発信したトリガー信号を受信し続け、第２応答信号を発信し続ける。
【００２８】
図４は、監督者端末２００の機能構成を示すブロック図である。監督者端末２００は、読取情報受信部２０４、作業者記憶部２０２、更新部２０６、及び警告処理部２０８を備える。警告処理部２０８は、本発明における第１乃至第３警告処理部を兼ねている。
【００２９】
作業者記憶部２０２は、第１ＩＣタグ識別情報と、当該第１ＩＣタグ識別情報に対応する第１ＩＣタグ１０５が取り付けられたフック１０４の作業者を特定する作業者特定情報とを互いに対応付けて記憶する。
【００３０】
読取情報受信部２０４は、ＩＣタグ読取部２１２，２１４及び第１応答信号受信部２１６から第１応答信号を受信し、かつ第２応答信号受信部２１８から第２応答信号を受信する。
【００３１】
更新部２０６は、読取情報受信部２０４が受信した情報に基づいて作業者記憶部２０２を更新する。例えば更新部２０６は、第１応答信号受信部２１６から第１応答信号を受信したときに、フック１０４が親綱２２０に取り付けられたことを示す取付確認情報（例えばフラグ）を、受信した第１応答信号に含まれる第１ＩＣタグ識別情報に対応付けて作業者記憶部２０２に記憶させる。詳細には、更新部２０６は、第１応答信号受信部２１６から予め定められた時間連続して第１応答信号を受信したときに、取付確認情報を作業者記憶部２０２に記憶させる。
【００３２】
警告処理部２０８は、作業開始を示す作業開始時刻から予め定められた時間以内に第１応答信号受信部２１６から第１応答信号を受信しないときに、警告処理を行う。また警告処理部２０８は、第２応答信号受信部２１８から第２応答信号を受信したときに、警告処理を行う。さらに警告処理部２０８は、第１応答信号受信部２１６から第１応答信号を受信した後、予め定められた時間連続して第１応答信号を受信しなかったときに、フック１０４が親綱２２０から外されたと判断し、警告処理を行う。これらの警告処理は、例えば警告画面を監督者端末２００の画面に表示させる処理であっても良いし、音声アラームを出力する処理であっても良い。前者の場合、警告処理の対象となっている作業者を監督者端末２００の画面に表示させても良い。
【００３３】
なお、図４において、本発明の本質に関わらない部分の構成については省略している。図４に示した監督者端末２００の各構成要素は、ハードウエア単位の構成ではなく、機能単位のブロックを示している。監督者端末２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３４】
図５は、作業者記憶部２０２が記憶しているデータをテーブル形式で示す図である。作業者記憶部２０２は、作業者特定情報の一例である作業者名に、第１ＩＣタグ識別情報、第２ＩＣタグ識別情報、作業開始時刻、フック取付の有無を示す情報（取付確認情報）、フック取付時刻、及び作業終了時刻を互いに対応付けて記憶している。
【００３５】
本実施形態において作業開始時刻は、読取情報受信部２０４がＩＣタグ読取部２１４から最初に第１応答信号を受信した時刻すなわちＩＣタグ読取部２１４が最初に第１ＩＣタグ１０５から第１応答信号を受信した時刻であり、作業終了時刻は、読取情報受信部２０４がＩＣタグ読取部２１４から２回目の第１応答信号を受信した時刻すなわちＩＣタグ読取部２１４が２回目に第１ＩＣタグ１０５から第１応答信号を受信した時刻である。またフック取付時刻は、読取情報受信部２０４が第１応答信号受信部２１６から最初に第１応答信号を受信した時刻である。
【００３６】
図６は、図１に示した安全管理システムの動作を示すフローチャートである。このフローチャートに示す処理において、フック１０４、命綱１０２、及び安全ベルト１００は一体化している。そして作業者記憶部２０２は、第１ＩＣタグ識別情報と第２ＩＣタグ識別情報を１対１で対応付けた状態で予め記憶している。また作業者記憶部２０２は予め作業者名を記憶している。
【００３７】
まず作業区域３００での作業を開始する前に、作業の監督者は作業者の点呼を行う。監督者は作業者の名前を読み上げるときに、監督者端末２００に対して、読み上げた作業者名すなわち作業者特定情報を選択する旨の入力を行う。名前を読み上げられた作業者は、フック１０４に取り付けられた第１ＩＣタグ１０５をＩＣタグ読取部２１２にかざす。ＩＣタグ読取部２１２はトリガー信号を発信している。第１ＩＣタグ１０５はトリガー信号を受信すると、第１応答信号を発信する。ＩＣタグ読取部２１２は第１応答信号を受信すると、受信した第１応答信号を監督者端末２００に送信する。
【００３８】
上記したように、第１応答信号には第１ＩＣタグ１０５の第１ＩＣタグ識別情報が含まれている。また監督者端末２００では、点呼された作業者の作業者特定情報が選択されている。このため、監督者端末２００は作業者特定情報と第１ＩＣタグ識別情報を紐付けて記憶することができる。また上記したように、第１ＩＣタグ識別情報と第２ＩＣタグ識別情報は、作業者記憶部２０２において予め１対１で対応付けられている。従って、監督者端末２００は作業者特定情報と第２ＩＣタグ識別情報を紐付けて記憶することができる（ステップＳ１０）。
【００３９】
作業者の点呼が終了すると、作業者は順に作業区域３００に入る。このとき各作業者は、作業区域３００の入口に設置されたＩＣタグ読取部２１４にフック１０４の第１ＩＣタグ１０５をかざす（ステップＳ２０）。これにより、ＩＣタグ読取部２１４は第１ＩＣタグ１０５からの第１応答信号を受信することができる。ＩＣタグ読取部２１４は、受信した第１応答信号を監督者端末２００に送信する。監督者端末２００の更新部２０６は、第１応答信号に含まれる第１ＩＣタグ識別情報を認識し、認識した第１ＩＣタグ識別情報に対応付けて、第１応答信号の受信時刻（すなわちＩＣタグ読取部２１４が最初に第１応答信号を受信した時刻）を作業開始時刻として作業者記憶部２０２に記憶させる（ステップＳ２２）。
【００４０】
作業者は、作業区域３００に入るとフック１０４を親綱２２０にかける（ステップＳ２４）。上記したように、親綱２２０には第１トリガー信号発信部２２１としてのアンテナ線が巻きつけられている。このため、フック１０４が親綱２２０にかけられると、フック１０４の第１ＩＣタグ１０５は第１応答信号を発信する。第１応答信号受信部２１６は、この第１応答信号を受信し、監督者端末２００に送信する。
【００４１】
監督者端末２００の更新部２０６は、第１応答信号受信部２１６から第１応答信号を受信すると、第１応答信号に含まれる第１ＩＣタグ識別情報に対応付けて、第１応答信号の受信時刻（すなわち第１応答信号受信部２１６が第１応答信号を受信した時刻）をフック取付時刻として作業者記憶部２０２に記憶させる。また更新部２０６は、作業者記憶部２０２にフックが取り付けられていることを示すフラグを立てる（ステップＳ２６）。
【００４２】
そして監督者端末２００の警告処理部２０８は、予め定められた時間内に第１応答信号を発信していない第１ＩＣタグ１０５がある場合、すなわち作業者記憶部２０２において、作業開始時刻から予め定められた時間以内にフック取付時刻が記憶されていない作業者識別情報がある場合（ステップＳ３０：Ｙｅｓ）、警告処理を行う（ステップＳ３５）。これにより監督者は、フック１０４を親綱２２０に取り付けていない作業者がいることを認識できる。
【００４３】
そして作業区域３００において作業が行われている間、フック１０４は親綱２２０に取り付けられているため、第１ＩＣタグ１０５は第１応答信号を発信し続ける。第１応答信号受信部２１６は定期的（例えば１０秒間隔）に第１応答信号を監督者端末２００に送信する。監督者端末２００の警告処理部２０８は、第１応答信号を一定間隔で受信することにより、その第１応答信号に対応するフック１０４が親綱２２０にかけられたままであることを認識できる。
【００４４】
一方警告処理部２０８は、予め定められた時間継続して特定の第１応答信号を受信しなかった場合（ステップＳ４０：Ｙｅｓ）、フック１０４が親綱２２０から外されたと判断する。そして警告処理部２０８は、作業者記憶部２０２から、フック１０４が取り付けられていることを示すフラグを取り消すと共に、警告処理を行う（ステップＳ４２）。
【００４５】
また作業者が作業区域３００のうち危険区域に入ると、その作業者の安全ベルト１００に取り付けられている第２ＩＣタグ１０１が第２応答信号を発信する。第２応答信号受信部２１８はこの第２応答信号を受信して監督者端末２００に送信する（ステップＳ５０：Ｙｅｓ）。監督者端末２００の警告処理部２０８は、第２応答信号に含まれている第２ＩＣタグ識別情報を認識し、フック１０４が取り付けられていることを示すフラグがこの第２ＩＣタグ識別情報に対応付けて作業者記憶部２０２に記憶されているか否かを確認する（ステップＳ５２）。このフラグが作業者記憶部２０２に記憶されていない場合（ステップＳ５２：Ｎｏ）、警告処理部２０８は警告処理を行う（ステップＳ５４）。すなわち警告処理部２０８は、第１応答信号受信部２１６が第１応答信号を受信している間は、命綱１０２を介して安全ベルト１００が親綱２２０に取り付けられていると判断し、第２応答信号を受信しても警告処理を行わない。
【００４６】
そして作業区域３００での作業が終了する（ステップＳ６０：Ｙｅｓ）と、作業者は作業区域３００から退出する。このとき作業者３００は、作業区域３００の入口に設置されたＩＣタグ読取部２１４にフック１０４の第１ＩＣタグ１０５をかざす（ステップＳ７０）。これにより、ＩＣタグ読取部２１４は第１ＩＣタグ１０５からの第１応答信号を受信することができる。ＩＣタグ読取部２１４は、受信した第１応答信号を監督者端末２００に送信する。監督者端末２００の更新部２０６は、認識した第１ＩＣタグ識別情報に対応付けて、第１応答信号に含まれる第１ＩＣタグ識別情報を認識し、第１応答信号の受信時刻（すなわちＩＣタグ読取部２１４が２回目に第１応答信号を受信した時刻）を作業終了時刻として作業者記憶部２０２に記憶させる（ステップＳ７２）。
【００４７】
次に、本実施形態の作用及び効果について説明する。本実施形態によれば、フック１０４として市販のフックを用いることができる。そしてフック１０４に第１ＩＣタグ１０５を取り付け、かつ親綱２２０に第１トリガー信号発信部２２１としてのアンテナ線を巻きつけることにより、作業者がフック１０４を親綱２２０にかけたか否かを検知することができる。従って、安全管理システムを安価にすることができる。
【００４８】
また作業の監督を行う監督者は、監督者端末２００が行う警告処理によって、フック１０４を親綱２２０にかけていない作業者の有無、及びどの作業者がフック１０４を親綱２２０にかけていないかを把握することができる。従って、監督者の負荷が小さくなる。
【００４９】
また作業区域３００のうち危険区域にはシート状の第２トリガー信号発信部２３０が敷かれており、安全ベルト１００には第２ＩＣタグ１０１が取り付けられている。このため作業者が危険区域に入ると、第２ＩＣタグ１０１は第２応答信号を発信する。従って監督者端末２００は、第２応答信号の発信の有無を認識することにより、危険区域に作業者が入ったことを認識できる。
【００５０】
なお作業の内容によっては、作業者は危険区域に入る必要があることがある。一方、作業者がフック１０４を親綱２２０にかけている場合、作業者が転落する可能性はほとんどない。そこで監督者端末２００は、作業者がフック１０４を親綱２２０にかけていると認識しているときは、その作業者が危険区域に入っても警告処理を行わない。従って、不必要な警告処理が行われる回数を少なくできる。
【００５１】
（第２の実施形態）
本実施形態に係る安全管理システムは、監督者端末２００が作業開始時刻を認識するトリガーとして、監督者が監督者端末２００に入力する作業開始信号を用いる点を除いて、第１の実施形態にかかる安全管理システムと同様の構成である。本実施形態では、図１に示したＩＣタグ読取部２１４はなくても良い。以下、第１の実施形態と同様の構成に付いては説明を省略する。
【００５２】
図７は、本実施形態に係る監督者端末２００の構成を示すブロック図である。この監督者端末２００は、作業開始入力部２０３を備えている点を除いて、第１の実施形態に係る監督者端末２００の構成と同様である。作業開始入力部２０３は、監督者が監督者端末２００に入力した作業開始信号を取得し、作業開始信号を取得した時刻を全ての作業者に共通の作業開始時刻として作業者記憶部２０２に記憶させる。
【００５３】
図８は、本実施形態に係る安全管理システムの動作を示すフローチャートである。本図に示すフローチャートは、監督者端末２００が作業者特定情報と第１ＩＣタグ識別情報及び第２ＩＣタグ識別情報を紐付けて記憶した（ステップＳ１０）後、作業者がＩＣタグ読取部２１４にフック１０４の第１ＩＣタグ１０５をかざす代わりに、監督者が監督者端末２００に作業開始信号を入力する（ステップＳ２１）点を除いて、図６に示したフローチャートと同様である。監督者端末２００の作業開始入力部２０３は、監督者が監督者端末２００に入力した作業開始信号を取得し、作業開始信号を取得した時刻を全ての作業者に共通の作業開始時刻として作業者記憶部２０２に記憶させる（ステップＳ２２）。
【００５４】
本実施形態によっても第１の実施形態と同様の効果を得ることができる。
【００５５】
以上、図面を参照して本発明の実施形態について述べたが、これらは本発明の例示であり、上記以外の様々な構成を採用することもできる。
【符号の説明】
【００５６】
１００ 安全ベルト
１０１ 第２ＩＣタグ
１０２ 命綱
１０４ フック
１０５ 第１ＩＣタグ
２００ 監督者端末
２０２ 作業者記憶部
２０３ 作業開始入力部
２０４ 読取情報受信部
２０６ 更新部
２０８ 警告処理部
２１２ ＩＣタグ読取部
２１４ ＩＣタグ読取部
２１６ 第１応答信号受信部
２１８ 第２応答信号受信部
２２０ 親綱
２２１ 第１トリガー信号発信部
２２２ トリガー信号入力装置
２３０ 第２トリガー信号発信部
２３２ トリガー信号入力装置
２３４ アンテナ線
３００ 作業区域
【図１】
2011034374.tif 000003
【図２】
2011034374.tif 000004
【図３】
2011034374.tif 000005
【図４】
2011034374.tif 000006
【図５】
2011034374.tif 000007
【図６】
2011034374.tif 000008
【図７】
2011034374.tif 000009
【図８】
2011034374.tif 000010